(57)【要約】【課題】ブーツプロテクターを装着せずに金属環とベロー部の直接接触による傷付き防止を図る。【解決手段】弾性体製のベロー部１と金属環２とを備え、ベロー部１の一方の端部３がシャフトに固定されると共に他方の端部４が金属環２に固定され、金属環２の他方の端部５がジョイントの外周面に固定される金属環付きＣＶＪブーツにおいて、金属環２には、ジョイントに作動角が付いた際に、少なくともベロー部１と接触する危険がある部位７に発泡プラスチック層８を形成するようにしている。発泡プラスチック層８の形成は、好ましくは、発泡プラスチック原料を塗布または吹きつけてから、金属環２上で発泡させることである。【選択図】図１
2018169000.tif 000002
【特許請求の範囲】
【請求項１】
弾性体製のベロー部と金属環とを備え、前記ベロー部の一方の端部がシャフトに固定されると共に他方の端部が前記金属環に固定され、前記金属環の他方の端部がジョイントの外周面に固定される金属環付きＣＶＪブーツにおいて、
前記金属環には、前記ジョイントに作動角が付いた際に、少なくとも前記ベロー部と接触する危険がある部位に発泡プラスチック層が形成されていることを特徴とする金属環付きＣＶＪブーツ。
【請求項２】
前記発泡プラスチック層は発泡ポリウレタン層であることを特徴とする請求項１記載の金属環付きＣＶＪブーツ。
【請求項３】
弾性体製のベロー部と金属環とを備え、前記ベロー部の一方の端部がシャフトに固定されると共に、他方の端部が前記金属環に固定され、前記金属環の他方の端部がジョイント外周面に固定される金属環付きＣＶＪブーツの製造方法において、
前記金属環には、前記ジョイントに作動角が付いた際に、少なくとも前記ベロー部と接触する危険がある部位に発泡プラスチック原料を塗布または吹きつけてから、前記金属環上で発泡させることにより前記発泡プラスチック層を形成することを特徴とする金属環付きＣＶＪブーツの製造方法。
【請求項４】
前記発泡プラスチック層は発泡ポリウレタン層であることを特徴とする請求項３記載の金属環付きＣＶＪブーツの製造方法。
【発明の詳細な説明】
【技術分野】
【０００１】
本発明は、ＣＶＪブーツ及びその製造方法に関する。さらに詳述すると、本発明は、金属環かしめタイプのＣＶＪブーツ（本明細書では金属環付きＣＶＪブーツと呼ぶ）及びその製造方法に関するものである。
【背景技術】
【０００２】
金属環付きプロペラシャフト用ＣＶＪブーツにおいては、図２に示すように、プロペラシャフト１０１に高角度が付いた際に、ゴム又は樹脂で形成されたベロー部１０２と金属部１０３とが直接接触することがある。このことがベロー部１０２の損傷及び早期摩耗の主原因となっている。
【０００３】
そこで、図３に示すように、金属環１０３にゴム又は樹脂で形成したブーツプロテクター１０４を装着して、オーバーアングルによる金属環１０３とベロー部１０２との直接接触を防止することで、ベロー部１０２の損傷及び早期摩耗を抑制することが提案されている（特許文献１）。
【先行技術文献】
【特許文献】
【０００４】
【特許文献１】実開平０２−１０２０２２号公報
【発明の概要】
【発明が解決しようとする課題】
【０００５】
しかしながら、ブーツプロテクター１０４は、金属環１０３に対し一点一葉の構成であるため、金属環１０３のサイズ、形状が変更された場合には、その都度新たに開発する必要があり、汎用性もなく他製品へ適用することもできない。また、部品点数も増えてしまう問題を伴う。
【０００６】
そこで、本発明は、ブーツプロテクターを装着せずに金属環とベロー部の直接接触による傷付き防止を図ることができるプロペラシャフト用CVJブーツ及びその製造方法を提供することを目的とする。
【課題を解決するための手段】
【０００７】
かかる目的を達成するために請求項１記載の発明は、弾性体製のベロー部と金属環とを備え、ベロー部の一方の端部がシャフトに固定されると共に他方の端部が金属環に固定され、金属環の他方の端部がジョイントの外周面に固定される金属環付きＣＶＪブーツにおいて、金属環には、ジョイントに作動角が付いた際に、少なくともベロー部と接触する危険がある部位に発泡プラスチック層を形成するようにしている。
【０００８】
また、請求項３記載の発明は、弾性体製のベロー部と金属環とを備え、ベロー部の一方の端部がシャフトに固定されると共に、他方の端部が金属環に固定され、金属環の他方の端部がジョイント外周面に固定される金属環付きＣＶＪブーツの製造方法において、金属環には、ジョイントに作動角が付いた際に、少なくともベロー部と接触する危険がある部位に発泡ポリウレタンを塗布または吹きつけてから、金属環上で発泡させることにより発泡プラスチック層を形成するようにしている。
【発明の効果】
【０００９】
請求項１記載の金属環付きＣＶＪブーツによれば、発泡プラスチック層がクッションとなることでオーバーアングルによる金属環とベロー部の直接接触を避けベロー部側の傷付きを防止することができる。
【００１０】
また、本発明の金属環付きＣＶＪブーツによれば、別部材としてのブーツプロテクターを削減することができるので、部品点数の低減が図れる。同時に、従来のものより簡易な構造であると共に、ブーツプロテクターが不要であるため、金属環のサイズや形状等を変更した場合にも、その都度ブーツプロテクターの新規開発を必要とせず、直ちに対応できる。
【００１１】
また、本発明の金属環付きＣＶＪブーツ製造方法によれば、ベロー部と接触する危険がある金属環の部位に発泡プラスチック原料を塗布あるいは吹きつけてから、金属環の上で発泡させることにより発泡プラスチック層を形成するので、金属環の形状や大きさに関係なく発泡プラスチック層が必要な範囲に必要量だけ容易に形成することができる。そして、大きさや形状が異なる金属環毎の別部材としてのブーツプロテクターを用意する必要がないので、金属環の形状変更に対して即応できると共に部品点数の低減が図れる。
【図面の簡単な説明】
【００１２】
【図１】本発明の金属環付きＣＶＪブーツの一実施形態を示す中央縦断半截断面図である。
【図２】従来の金属環付きプロペラシャフト用ＣＶＪブーツにおけるオーバーアングル状態を示す説明図である。
【図３】従来のブーツプロテクターを装着した金属環付きＣＶＪブーツを示す中央縦断半截断面図である。
【発明を実施するための形態】
【００１３】
以下、本発明の構成を図面に示す実施形態に基づいて詳細に説明する。
【００１４】
図１に、本発明の金属環付きＣＶＪブーツの実施形態の一例を示す。
【００１５】
この実施形態にかかる金属環付きＣＶＪブーツは、例えばＵ字状に湾曲した屈曲部を有するゴム等の弾性体製のベロー部１と、図示していないジョイントの外側継手部材に装着される金属環２とを備え、ベロー部１の一方の端部３がシャフト（図示省略）に固定されると共に他方の端部４が金属環２に固定され、さらに金属環２の他方の端部５がジョイントの外側継手部材の外周面に固定されることによって、ベロー部１をシャフトと金属環２との間で固定し、ジョイントを密封するように覆ってグリースを封止するように設けられている。
【００１６】
金属環２とベロー部１の他端部４との接合は、例えば金属環２のベロー部１側の端部に先端が内径側に折り返されて成るクリップ状の凹部６が設けられ、この凹部６に玉状に膨大したベロー部１の他端部４を嵌め込んでからかしめることで固定されている。
【００１７】
金属環２には、ジョイントに作動角（特に高角度）が付いた際に、少なくともベロー部１と接触する危険がある部位７に柔らかくて緩衝作用のある発泡プラスチック層８が形成されている。
【００１８】
ここで、発泡プラスチック層８を形成する範囲は、少なくともベロー部１が金属環２に接触する虞がある部位７あるいはそれを含む領域であれば足り、ベロー部１が金属環２に接触する虞がある部位７に制限されるものではない。換言すれば、発泡プラスチック層８は、少なくとも金属環２のベロー部１と接触する危険がある部位７に形成されれば足りるが、金属環２のベロー部１と接触する危険がある部位７の外にまで形成しても良いし、場合によっては金属環２の外周面（大気側に対向する面）全域に形成されても良い。発泡プラスチック層８を形成する範囲を、金属環２とベロー部１とが直接接触・干渉する部位７のみに限る場合には、無用に発泡プラスチック層８を形成しないことでのコスト削減を図り得るので好ましい。
【００１９】
発泡プラスチック層８としては、例えば軟質プラスチックフォームあるいは半硬質プラスチックフォームの使用が好ましく、より好ましくは軟質プラスチックフォームの使用である。ここで、軟質プラスチックフォームとしては、ポリウレタン（ＰＵＲ）を原料とする軟質ポリウレタンフォーム、ポリ塩化ビニル（ＰＶＣ）を原料とする軟質ポリ塩化ビニルフォーム、ラバーフォームなどが挙げられるが、なかでも気泡が連通し、柔らかくて緩衝作用のある軟質ポリウレタンフォームの使用が好ましい。なお、半硬質プラスチックフォームとしては、ポリエチレン(ＰＥ)を原料とするポリエチレンフォーム、ポリ塩化ビニルフォームなどが挙げられる。
【００２０】
本実施形態の場合、発泡プラスチック層８は、軟質ポリウレタンフォームによって構成されている。この軟質ポリウレタンフォームは、ポリオールとポリイソシアネートとを主成分として、それに発泡剤、制泡剤、触媒、着色剤などを必要に応じて混合した混合原液を、金属環２の外周面に塗布または吹きつけてから金属環２の上で発泡させるようにして、金属環２の外周面上の必要な箇所に必要な量の発泡層を形成するようにしている。
【００２１】
ここで、発泡ポリウレタン層８を形成する手法としては、特定の手法に限定されるものではないが、好ましくは金属環２の表面に発泡ポリウレタン原液を刷毛などで塗布しあるいはスプレーなどで吹き付け、その後金属環２の表面でウレタンを発泡させて発泡層を形成することである。この場合、金属環２の形状や大きさに関係なく発泡プラスチック層８が必要な範囲に必要量だけ容易に形成することができる。そして、別部材としてのブーツプロテクターを用意する必要がないので、金属環２の形状変更に対して即応できると共に部品点数の低減が図れる。
【００２２】
以上のように構成された金属環付きＣＶＪブーツによれば、金属環２の大気側の面に発泡ポリウレタン層８が形成されているので、プロペラシャフトに高角度がついた際に、発泡ポリウレタン層８とベロー部１とが接触し、金属環２がベロー部１に直接接触してベロー部１の損傷及び早期摩耗を抑制できる。
【００２３】
また、金属環２の大気側のベロー部１が金属環２に接触する虞がある部位７の面に発泡ポリウレタン原料をスプレーで吹き付けたり、あるいははけ等により塗布してから金属環２の表面で発泡させることで、金属環２のサイズ、形状に関係なく発泡ポリウレタン層８を形成することができるようになり、部品点数の低減も図れる。
【００２４】
なお、上述の形態は本発明の好適な形態の一例ではあるがこれに限定されるものではなく本発明の要旨を逸脱しない範囲において種々変形実施可能である。例えば、上述の実施形態では、発泡プラスチック層８の形成は、金属環２の表面で発泡させるようにしているが、これに特に限られず、例えば、発泡プラスチックのスラブ例えば発泡ポリウレタンスラブから予め所望長さ、厚み、幅の板状に切り出された発泡ポリウレタンを接着剤などで金属環の表面に貼着することで、または発泡プラスチックシート例えば発泡ポリウレタンシートなどの緩衝性に優れるシート材を接着剤などで金属環の表面に貼着することで発泡プラスチック層を形成するようにしても良い。
【符号の説明】
【００２５】
１  ベロー部
２  金属環
３  ベロー部の一方の端部（小径固定部）
４  ベロー部の他方の端部
５  金属環の他方の端部（大径固定部）
６  金属環の一方の端部（クリップ状の凹部）
７  ジョイントに作動角が付いた際にベロー部と接触する危険がある金属環の部位
８  発泡プラスチック層（発泡ポリウレタン層）
【図１】
2018169000.tif 000003
【図２】
2018169000.tif 000004
【図３】
2018169000.tif 000005